(57)【要約】    【課題】一旦横幅を設定したら折り畳んでコンパクトに収納する場合にもこの設定を解除することなく行うことができる歩行器を提供すること。    【解決手段】アームレスト６とキャスター８とを備えた左右一対のパイプフレーム２、３と、パイプフレーム同士を連結する折り畳み可能なクロスパイプ４と、左右のアームレスト６をその間隔が調節可能なように連結する前部プレート７とを備えており、上記クロスパイプ４の上端に揺動可能に取り付けられた垂下パイプ２５がパイプフレームの鉛直パイプ１２に案内されるように挿通されており、クロスパイプ４の下端がパイプフレームの鉛直パイプ１１、１２にその上下動を案内され、且つ、任意の位置で固定ピン２２によって鉛直パイプ１１、１２に固定されるように構成されている。【選択図】図１
2007014685.tif 000002
【特許請求の範囲】
【請求項１】
その上部にアームレストを備え、下端にキャスターを備えた左右一対の本体構成部材と、
該本体構成部材同士を連結する折り畳み可能な交叉状を呈するクロス部材と、
上記左右のアームレストをその間隔が調節可能なように連結する連結部材とを備えており、
上記クロス部材の上端が本体構成部材に対して上下動可能に接続され、下端が本体構成部材に対して上下位置の調節が可能に接続されている歩行器。
【請求項２】
上記本体構成部材に対するクロス部材の下端の上下動を案内する第一案内部材と、上記本体構成部材に対するクロス部材の上端の上下動を案内する第二案内部材とが、上記本体構成部材に配設されている請求項１記載の歩行器。
【請求項３】
上記クロス部材の下端に前後方向に延びる短管が配設されており、該短管の端部が本体構成部材に摺接しつつ上下動するように構成されており、
上記第一案内部材が、上記短管の端部が係合する上下方向に延びる溝を有するとともに、所定間隔をおいて上記短管を固定しうる上下位置設定機構を有している請求項２記載の歩行器。
【請求項４】
上記クロス部材の上端に横方向に揺動可能な棒状部材が垂下されており、
上記第二案内部材が、該棒状部材を上下動可能に収容する管状を呈した部材から構成されている請求項２記載の歩行器。
【請求項５】
その上部にアームレストを備え、下端にキャスターを備えた左右一対の本体構成部材と、
該本体構成部材同士を離間接近可能に連結する本体幅調節部材と、
上記左右のアームレストをその間隔が調節可能なように連結する折り畳み可能な連結部材とを備えており、
該連結部材が、各アームレストに配設された位置決め部材と、両位置決め部材と少なくともその一部が重なり合う受け部材とを有し、位置決め部材と受け部材との重なり寸法を変更することによって伸縮するように構成されている歩行器。
【請求項６】
上記連結部材が前部プレートを有しており、該前部プレートの下面中央部に左右一対の上記受け部材が揺動可能に取り付けられており、該受け部材が、上記位置決め部材が内嵌しうるようにパイプから構成されてなる請求項５記載の歩行器。
【請求項７】
上記連結部材が、その中央部から逆Ｖ字状に屈曲可能な前部プレートを有しており、該前部プレートの下面における上記屈曲可能部の左右両側それぞれに上記受け部材が固定されており、該受け部材が、上記位置決め部材が内嵌しうるようにパイプから構成されてなる請求項５記載の歩行器。
【発明の詳細な説明】
【技術分野】
【０００１】
この発明は歩行器に関する。さらに詳しくは、歩行が困難な人がたとえば自身の体重の一部を預けて押しながら歩行するための歩行器に関する。
【背景技術】
【０００２】
従来、歩行器は一般的にその本体が枠状または箱状に形成され、その下端に四個、五個または六個のキャスターが取り付けられたものである。この全てのキャスターまたは前部のキャスターが鉛直軸周りに回動するように構成されている。歩行器の方向転換を容易にするためである。また、本体の上端には使用者が腕や手を載せるためのクッション材からなるＪ字状のアームレストが取り付けられている。
【０００３】
このような歩行器としてはたとえば特許文献１に開示されたものが知られている。この歩行器は、その下端の前後にキャスターを有する左右一対の下部フレームと、上端にクッション（アームレスト）を有する左右一対の上部フレームと、下部フレームと上部フレームとをつなぐ左右前後の四本の垂直パイプと、左右の前部垂直パイプをつなぐ開閉可能なクロスバーとを備えている。
【０００４】
上部フレームから下方に延設されたパイプが上記垂直パイプに内嵌合し、この上部フレームを上下させることによってアームレストの高さ位置を調節してねじで固定するように構成されている。また、クロスバーの下端は下部フレームに対し、前後方向の軸周りに回動可能に取り付けられている。クロスバーの上端は上記垂直パイプに沿って上下に摺動し、垂直パイプに沿って形成された複数個の孔のうち一つに固定ピンによって選択的に固定されるように構成されている。左右の上部フレームは幅調節プレートとピンおよび固定ねじの操作によって間隔を変更して固定することができる。これらによって歩行器の横幅が調節される。
【０００５】
また、歩行器を使用しないときや収納するときなどには、左右の上部フレームをつなぐ幅調節プレートの固定ねじをゆるめ、さらに上記クロスバーを縦長になるように閉じることにより、横幅を最小にするように畳み込んでしまうことができる。しかしながら、この歩行器ではクロスバーを閉じて全体を折り畳むときには、クロスバーの上端から固定ピンをはずして垂直パイプへの固定を解かねばならない。一方、歩行器の横幅を広げるように調節するときにはＪ字状のアームレストの前端同士の間の空間が広がってしまう。逆に横幅を狭めるべく調節するときにはＪ字状のアームレストの前端同士が当接してしまうので調節可能範囲が制限される。
【特許文献１】特開２００２−１２６０２３号公報
【発明の開示】
【発明が解決しようとする課題】
【０００６】
この発明はかかる課題を解決するためになされたものであり、使用者の体型に合わせて当該歩行器の横幅を一旦設定したら、不使用時等に折り畳んで収納する場合にもこの設定を解除することなく行うことができる歩行器、および、横幅を調節するときにも左右のアームレスト同士の離間や当接を心配する必要がない歩行器を提供することを目的としている。
【課題を解決するための手段】
【０００７】
本発明の歩行器は、その上部にアームレストを備え、下端にキャスターを備えた左右一対の本体構成部材と、この本体構成部材同士を連結する折り畳み可能な交叉状を呈するクロス部材と、上記左右のアームレストをその間隔が調節可能なように連結する連結部材とを備えており、上記クロス部材の上端が本体構成部材に対して上下動可能に接続され、下端が本体構成部材に対して上下位置の調節が可能に接続されている。
【０００８】
かかる構成によれば、本体構成部材に対するクロス部材の下端の上下位置を設定した後に、一対の本体構成部材同士を接近させるべく寄せるとクロス部材の上端が上昇するので、そのまま接近させ続けることにより歩行器を容易に折り畳むことができる。なお、本体構成部材はフレーム状やパネル状であってもよく、これらの組み合わせ等であってもよい。
【０００９】
上記本体構成部材に対するクロス部材の下端の上下動を案内する第一案内部材と、上記本体構成部材に対するクロス部材の上端の上下動を案内する第二案内部材とを、上記本体構成部材に配設することができる。
【００１０】
上記クロス部材の下端に前後方向に延びる短管を配設し、この短管の端部が本体構成部材に摺接しつつ上下動するように構成し、上記第一案内部材に、上記短管の端部が係合する上下方向に延びる溝を形成するとともに、所定間隔をおいて上記短管を固定しうる上下位置設定機構を配設することができる。
【００１１】
上記クロス部材の上端に横方向に揺動可能な棒状部材を垂下し、上記第二案内部材を、この棒状部材を上下動可能に収容する管状を呈した部材から構成することができる。こうすることにより、本体構成部材同士を接近させるべく力を加えたときにクロス部材の上端が上方に移動するので、他の操作を必要とすることなくスムーズにクロス部材が閉じられ、本体が容易に折り畳まれる。
【００１２】
本発明の他の歩行器は、その上部にアームレストを備え、下端にキャスターを備えた左右一対の本体構成部材と、この本体構成部材同士を離間接近可能に連結する本体幅調節部材と、上記左右のアームレストをその間隔が調節可能なように連結する折り畳み可能な連結部材とを備えており、この連結部材が、各アームレストに配設された位置決め部材と、両位置決め部材と少なくともその一部が重なり合う受け部材とを有し、位置決め部材と受け部材との重なり程度によって伸縮するように構成されている。
【００１３】
このように、本体構成部材同士を離間接近させるときには連結部材は伸縮してこれに応じ、本体を折り畳むときには連結部材も折り畳まれてこれに応じる。なお、位置決め部材と受け部材とが重なり合うとは、この両者が互いに入れ子式に組み合わされている場合も含む。
【００１４】
上記本発明の他の歩行器において、その連結部材に前部プレートを配設し、この前部プレートの下面中央部に左右一対の上記受け部材を揺動可能に取り付け、この受け部材を、上記位置決め部材が内嵌しうるようにパイプから構成することができる。
【００１５】
または、上記連結部材にその中央部から逆Ｖ字状に屈曲可能な前部プレートを配設し、この前部プレートの下面における上記屈曲可能部の左右両側それぞれに上記受け部材を固設し、この受け部材を、上記位置決め部材が内嵌しうるようにパイプから構成することもできる。
【発明の効果】
【００１６】
本発明の歩行器によれば、使用者の体型に合わせて当該歩行器の横幅を設定したら、折り畳んでコンパクトに収納する場合にもこの設定を解除することなく行うことができる。また、本発明の歩行器によれば、横幅を調節するときにも左右のアームレスト同士の離間や当接を心配する必要がない。
【発明を実施するための最良の形態】
【００１７】
以下、適宜図面が参照されつつ、好ましい実施形態に基づいて本発明が詳細に説明される。
【００１８】
図１はこの発明の歩行器の一実施形態を示す斜視図である。図２は図１の歩行器の正面図である。図３は図１の歩行器の側面図である。この歩行器１は、左右一対のパイプフレーム２、３がクロスパイプ４によって連結された本体５と、この本体５の上端に取り付けられた、人が腕を置くための左右一対のアームレスト６と、このアームレスト６の前端に配置された、一対のアームレスト６を連結する連結部材７と、本体５の下端の四隅に取り付けられた四個のキャスター８とを備えている。連結部材７はその上部に人が手を置くための板状の前部プレート７ａを備えている。上記左右のパイプフレーム２、３はそれぞれ本体を構成する本体構成部材である。本実施形態では前端の二つのキャスター８は鉛直軸周りに回動可能な構成にされ、後端の二つのキャスター８は回動不能にされている。しかしこの構成に限定されることはなく、全てのキャスター８を鉛直軸周りに回動可能に構成してもよい。また、キャスターの個数は六個以上でもよい。
【００１９】
アームレスト６は角管製の軸部材６ａの上にクッション材６ｂが固定されたものである。本実施形態では連結部材７は板状の前部プレート７ａを備えているが、かかる構成に限定されることはなく、プレート７ａに代えてたとえばアームレストと同様にクッションを取り付けたもの等でもよい。
【００２０】
図２において二点鎖線で示すように、上記クロスパイプ４はその交差部の支軸９の周りに二本の構成パイプ４ａ、４ｂが回動する（クロスパイプ４が開閉するともいう）ように構成されている。かかる構成のクロスパイプ４を開閉することによって左右一対のパイプフレーム２、３が離間接近するので、このクロスパイプ４が本体５の幅調節部材となる。左右のパイプフレーム２、３が離間接近するとき、上記連結部材７に対しても左右のパイプフレーム２、３は横方向（本体５の幅方向）にスライドし、互いに離間接近するようにされている。この構造については後述する。かかる構成によって本体５の横幅を変更することができる。使用者は一対のパイプフレーム２、３の間に入り、クッション６および前部プレート７ａに腕をおいて体重の一部を預け、この歩行器１を押しながら歩行する。
【００２１】
左右のパイプフレーム２、３は互いにほぼ同一の構成を有している。したがって、一方のパイプフレーム２について説明する。図３に示すように、ほぼ台形状のフレーム（以下、台形フレームという）１０がパイプフレーム２の下部を構成している。台形フレーム１０はＬ字状の前部鉛直パイプ１１、この前部鉛直パイプ１１にほぼ平行な中間鉛直パイプ１２、後部パイプ１３、下部水平パイプ１４および水平に延びるＵ字状の上部Ｕ字パイプ１５から構成されている。前部鉛直パイプ１１は、クロスパイプ４の下端の上下動の案内を容易にするため、および、固定ピン２２によるクロスパイプ４の下端の固定を容易にするため、その鉛直部分には平坦面を有する棒材１１ａを有している（図４参照）。この棒部材１１ａを含めて前部鉛直パイプ１１と呼ぶ。
【００２２】
台形フレーム１０の下辺の前端および後端のそれぞれに上記キャスター８が取り付けられている。台形フレーム１０の上辺のほぼ中央には、上下方向に延びる支持パイプ１６が配設されている。この支持パイプ１６と中間鉛直パイプ１２とは接続パイプ１６ａによって接続されている。上記支持パイプ１６の内部にはパイプフレーム２の上部を構成する上部ポール１７が貫入している。上部ポール１７の上端には、アームレスト６の軸部材６ａが前後方向に延びるように固定されている。かかる構成により、上部ポール１７およびアームレスト６が支持パイプ１６によって支持される。支持パイプ１６および上部ポール１７ともに断面が矩形を呈している。
【００２３】
図３に示すように、この上部ポール１７の長手方向（上下方向）に沿って所定間隔（たとえば等間隔）を置いて複数個の固定用の孔１８が形成されている。一方、支持パイプ１６には上部ポール１７の上下方向の位置を設定するための一個の位置決め孔（図示せず）が形成されている。上部ポール１７を支持パイプ１６に対して上下動させ、上部ポール１７の所望の固定用孔１８を支持パイプ１６の位置決め孔（図示せず）に一致させ、一致した両方の孔に固定ピン１９を挿入して取り付けることにより、台形フレーム１０に対する上部ポール１７の高さ位置が設定される。このようにして、使用者の体型（主に身長）に応じてアームレスト６の高さ位置が調節される。
【００２４】
図３および図４に示すように、クロスパイプ４を構成する両構成パイプ４ａ、４ｂそれぞれの上端はＬ字状に後方へ屈曲されている。この後方へ屈曲された上端部分は、後述する方法により、台形フレーム１０の中間鉛直パイプ１２の上端位置において前後方向軸の周りに回動自在に支持されている。両構成パイプ４ａ、４ｂそれぞれの下端には前後方向に延びる固定用短管２０が固着されている。一方、図２も併せて参照すれば明らかなように、台形フレーム１０の前部鉛直パイプ１１にはその長手方向に沿って所定間隔（たとえば等間隔）をおいて複数個の固定用の孔２１が形成されている。上記固定用短管２０は、前部鉛直パイプ１１と中間鉛直パイプ１２との間に延びており、中間鉛直パイプ１２に形成された溝型のガイド部材（第一案内部材）２３に係合することによってその上下動が案内される。このガイド部材２３にも上記前部鉛直パイプ１１の固定用孔２１に対応する位置に固定用孔２３ａ（図４参照）が形成されている。
【００２５】
図２〜図４に示すように、両構成パイプ４ａ、４ｂの下端（すなわち固定用短管２０）を前部鉛直パイプ１１および中間鉛直パイプ１２に対して上下動させ、前部鉛直パイプ１１の所望の固定用孔２１を固定用短管２０に一致させる。そのうえで、前部鉛直パイプ１１の固定用孔２１から固定用短管２０の内部を通してガイド部材２３の固定用孔２３ａに固定ピン２２を挿入して取り付ける。これにより、台形フレーム１０に対するクロスパイプ４の下端の高さ位置が設定される。このとき、後述するように構成パイプ４ａ、４ｂの上端は上昇しないようにされているので、クロスパイプ４の開閉位置が設定されることになる。これとともに、連結部材７の伸縮によって上記前部プレート７ａに対してパイプフレーム４ａ、４ｂが横方向に移動可能にされているので、両パイプフレーム２、３が互いに離間接近する（図２中の二点鎖線で示す部分を参照）。
【００２６】
上記した固定ピン２２は、前部鉛直パイプ１１の固定用孔２１から固定用短管２０の中を通ってガイド部材２３の固定用孔に挿通される長さを有している。このように、固定用短管２０の前後端が鉛直パイプ１１、１２に拘束されるので、クロスパイプ４による両パイプフレーム２、３の連結はしっかりしており、本体５の剛性向上に寄与している。
【００２７】
図４および図５には、パイプフレーム２、３によるクロスパイプ４上端の支持構造が示されている。構成パイプ４ａ、４ｂ（４ａで代表させる）の上端の後方へ屈曲された水平部分２４の後端には、下方に延びる垂下パイプ（垂下棒でもよい）２５が前後方向軸の周りに回転自在な状態で垂下されている。すなわち、この垂下パイプ２５は横方向（本体５の幅方向）に揺動可能となっている。この垂下パイプ２５が台形フレーム１０の中間鉛直パイプ１２の中に上から挿通されている。したがって、構成パイプ４ａの上端は前後方向の軸周りに回動自在であり、また、中間鉛直パイプ１２に対して上下動が可能である。いわば、中間鉛直パイプ１２および垂下パイプ２５が構成パイプ４ａの上端の上下動を案内する案内部材（第二案内部材）としての機能を発揮している。
【００２８】
図４および図５中に垂下パイプ２５が上昇した状態を二点鎖線で示している。中間鉛直パイプ１２の上端には、構成パイプ４ａの水平部分２４の後端を下から受ける支持片２６が設けられている。この支持片２６は部分円筒状を呈し、中間鉛直パイプ１２の上端の左右両側に設置されている。したがって、クロスパイプ４の上端は、この支持片２６から下方には下降できないが、他からの拘束がなければ制限無く上昇可能である。
【００２９】
つぎに、図２、図６〜図８を参照しながら、連結部材７とパイプフレーム２、３との接続機構を説明する。アームレスト６と上部ポール１７との組立体の対が連結部材７によって相互に着脱可能に連結されている。この連結部材７は前述のとおり前部プレート７ａを有している。この前部プレート７ａの下面には、その中央に第一ブラケット２７が配設されており、この第一ブラケット２７の両側それぞれに離間して第二ブラケット２８が配設されている。いずれのブラケット２７、２８も互いに離間した平行の板部材から形成されており、そこにはピン用孔２９が形成されている。
【００３０】
第一ブラケット２７には、受け部材としての左右一対の受けパイプ３０が支軸となるピン３７によって横方向に揺動可能に取り付けられている。各受けパイプ３０の先端近傍には一個の位置決め孔３１が形成されている。さらに、各受けパイプ３０の下面における中間部にはピン用孔２９を有する第三ブラケット３２が配設されている。この第三ブラケット３２は、上記受けパイプ３０が揺動して前部プレート７ａと平行状態で接する最上位置に至ったとき、上記第二ブラケット２８と重なり合って両ブラケット２８、３２のピン用孔２９が一致する。この一致したピン用孔２９に固定ピン３３を挿入して固定することにより、図７中に二点鎖線で示すように受けパイプは３０は固定ピン３３によって上記最上位置に下から保持される。
【００３１】
一方、アームレスト６の軸部材６ａは上部ポール１７に対して垂直に固定されているが、この軸部材６ａの前端に位置決め用の棒部材３４が横方向に揺動可能に取り付けられている。この位置決め棒部材３４は上記受けパイプ３０内に挿通される断面形状を有している。受けパイプ３０にはその長手方向に沿って位置決め棒部材３４を案内するためのスロット３８が形成されている。位置決め棒部材３４にはこのスロット３８に係合する被案内突起３９が突設されている。
【００３２】
位置決め棒部材３４の長手方向に沿って所定間隔（たとえば等間隔）を置いて複数個の固定用の孔３５が形成されている。左右両方の位置決め棒部材３４を上記一対の受けパイプ３０にそれぞれ挿入し、上記位置決め孔３１と所望の固定用孔３５とを一致させ、両孔３１、３５に固定ピン３６を挿入して固定することにより、上部ポール１７を含むアームレスト６同士の間隔を調節することができる。すなわち、受けパイプ３０への位置決め棒部材３４の挿入寸法を変えることにより、すなわち連結部材７を伸縮することにより、アームレスト６同士の間隔を調節する。
【００３３】
本実施形態では、受けパイプ３０に対して位置決め棒部材３４が入れ子式に構成されているが、かかる構成に限定されない。受け部材としては、受けパイプ３０に代えて、位置決め棒部材３４が重なり合うように係合してその長手方向に摺動するレールを用いてもよい。
【００３４】
前述したように、クロスパイプ４の下端の高さ位置を設定するときに、前部鉛直パイプ１１の複数の固定用孔２１のうちの一個を選択した。この場合、クロスパイプ４の下端がこの固定用孔２１の所定間隔を移動するときに左右のパイプフレーム２、３が離間または接近する距離は、位置決め棒部材３４に形成された固定用の孔３５の所定間隔と等しくなるようにされている。
【００３５】
したがって、左右の両上部ポール１７（アームレスト６）への連結部材７の取り付け位置を調節するとき、すなわち、両アームレスト６の間隔を調節するときに、前述したクロスパイプ４の下端の高さ位置の調節を同時に行うことにより、左右のパイプフレーム２、３の間隔を調節することができる。たとえば、クロスパイプ４の下端を下方の固定用孔２１から上方の固定用孔２１に位置替えしたとき、同時にアームレスト６の間隔を拡げるように調節するため、左右の台形フレーム１０の間隔が拡がるのでクロスパイプ４の上端が（したがって、垂下パイプ２５が）上昇することはない。また、クロスパイプ４の下端を上方の固定用孔２１から下方の固定用孔２１に位置替えしたとき、クロスパイプ４の上端は中間鉛直パイプ１２上端の支持片２６に当接しているので下がることはなく、必然的に左右の台形フレーム１０の間隔は狭くなる。これに合わせて両上部ポール１７（アームレスト６）に対する連結部材７の伸縮位置を調節する。
【００３６】
このようにして、連結部材７による左右のアームレスト６の取付間隔の調節と、前部および中間の鉛直パイプ１１、１２に対するクロスパイプ４の下端の位置調節とにより、本体５を使用者の体型（主に横幅）に適した横幅に調節することができる。
【００３７】
さらにこの歩行器１は、収納するときや搬送するとき等の不使用時に、その横幅が最小となるように折り畳むことができる。しかも、本体５の横幅を使用者に適した幅に設定した状態のままで折り畳むことができる。すなわち、クロスパイプ４の下端を前部および中間の鉛直パイプ１１、１２にピン止めしたまま左右のパイプフレーム２、３を接近させて重ね合わせることができる。この点について以下に説明する。
【００３８】
図６に示すように、この歩行器１を折り畳むには、まず左右の第二ブラケット２８のうちの一方（図６では左側の第二ブラケット２８）から固定ピン３３を取り外す。そしてそのまま左右のパイプフレーム２、３を互いに接近させるように押圧するだけでよい。そうすると、連結部材７の両受けパイプ３０は第一ブラケット２７の固定ピン３３を中心に上が凸である逆Ｖ字状となるように揺動し、両上部ポール１７（アームレスト６）が接近する。また同時に、左右のパイプフレーム２、３の接近に伴ってクロスパイプ４の上端が上昇し、その結果、垂下パイプ２５が中間鉛直パイプ１２から上昇する。したがって、クロスパイプ４は大きな抵抗無く折り畳まれる。もちろん、垂下パイプ２５はクロスパイプ４を折り畳んだときに中間鉛直パイプ１２から上方へ抜け出てしまわない長さにされている。このように、折り畳み作業に先立って上記受けパイプ３０から位置決め棒部材３４を抜き出す必要はない。さらにクロスパイプ４の下端を前部鉛直パイプ１１から外す必要もない。このように、本体５の横幅を使用者に適した幅に設定した状態のままでこの歩行器１を折り畳むことができる。
【００３９】
以上説明した実施形態で用いた固定ピン１９、２２、３３、３６は全てワンタッチ式に取付対象に固定され、且つ、その固定が解除される公知のものである。たとえば、当該固定ピンに装備された押しボタンを押すことにより、取付対象のピン孔内に係合していた固定ピンの突起が後退して係合が解かれるのでピン孔から抜き取り可能となり、押しボタンの押圧を解くと上記突起がピン孔内の係合凹所に係合して固定されるというものである。しかし、かかる構成に限定されることはなく、好適なピン止め機構であればいかなる公知のものをも採用することができる。
【００４０】
図６に示すように、左側の第二ブラケット２８から固定ピン３３を取り外すして左右のパイプフレーム２、３を接近させるように押圧すると、連結部材７の前部プレート７ａは右端部を中心として左端部が上方に跳ね上がるように回転する。しかし、かかる構成に限定されない。たとえば図９に示す連結部材４０のように、その前部プレート４１を左右二枚の板材４１ａ、４１ｂから構成して両板材４１ａ、４１ｂをヒンジ４２で接続し、前部プレート４１の中央から左右下方に逆Ｖ字状に折り畳めるように構成してもよい。なお、図９ではアームレストの図示を省略している。
【００４１】
この構成にすれば、位置決め棒部材３４が挿入される左右の受けパイプ３０はそれぞれ左右の上記板材４１ａ、４１ｂの下面に固定しておけばよく、揺動可能にする必要はない。第一ブラケット２７も第二ブラケット２８も必要としない。しかし、両板材４１ａ、４１ｂをつなぐヒンジ４２にはストッパ４３を設けて、前部プレート４１が水平状態からＶ字状に折れないようにしておく必要があり、また、逆Ｖ字状に折れないようにロック機構（図示せず）を設けておくのが望ましい。
【００４２】
以上説明した実施形態では本体５を構成する左右の本体構成部材はパイプフレーム２、３であるが、かかる構成に限定されない。パイプでなく棒部材からフレームを構成してもよく、フレームに代えて板材から左右のパネルを構成してもよい。その場合、前述した上部ポール１７と支持パイプ１６との嵌合、垂下パイプ２５と中間鉛直パイプ１２との嵌合等、パイプを使用することが便利な場合はその部分だけパイプを採用してもよい。
【産業上の利用可能性】
【００４３】
この発明は、人がたとえば自身の体重の一部を預けて押しながら歩行するための歩行器に適用することができる。
【図面の簡単な説明】
【００４４】
【図１】図１は、この発明の一実施形態である歩行器を示す斜視図である。
【図２】図２は、図１の歩行器の斜視図である。
【図３】図３は、図１の歩行器の側面図である。
【図４】図４は、図３の歩行器の右側パイプフレームの前部を拡大して示す斜視図である。
【図５】図５は、図１の歩行器のクロスパイプを示す正面図である。
【図６】図６は、図１の歩行器の前部プレートおよび折り畳まれつつあるパイプフレームを示す正面図である。
【図７】図７は、図１の歩行器のパイプフレームから前部プレートを取り外した状態を示す正面図である。
【図８】図８（ａ）は図１の歩行器の前部プレートの下面を示す底面図であり、図８（ｂ）は前部プレートの下面に取り付けられる受けパイプを示す底面図であり、図８（ｃ）は図８（ｂ）の受けパイプに挿入される位置決め棒部材を示す底面図である。
【図９】図９は、図１の歩行器の前部プレートの他の例を示す図６に対応する正面図である。
【符号の説明】
【００４５】
１・・・歩行器
２、３・・・パイプフレーム（本体構成部材）
４・・・クロスパイプ（本体幅調節部材）
５・・・本体
６・・・アームレスト
７・・・連結部材
８・・・キャスター
９・・・支軸
１０・・・台形フレーム
１１・・・前部鉛直パイプ
１２・・・中間鉛直パイプ（第二案内部材）
１３・・・後部パイプ
１４・・・下部水平パイプ
１５・・・上部Ｕ字パイプ
１６・・・支持パイプ
１７・・・上部ポール
１８・・・固定用孔
１９・・・固定ピン
２０・・・固定用短管
２１・・・固定用孔
２２・・・固定ピン
２３・・・ガイド部材（第一案内部材）
２４・・・水平部分
２５・・・垂下パイプ
２６・・・支持片
２７・・・第一ブラケット
２８・・・第二ブラケット
２９・・・ピン用孔
３０・・・受けパイプ（受け部材）
３１・・・位置決め孔
３２・・・第三ブラケット
３３・・・固定ピン
３４・・・位置決め棒部材
３５・・・固定用孔
３６・・・固定ピン
３７・・・支軸ピン
３８・・・スロット
３９・・・被案内突起
４０・・・連結部材
４１・・・前部プレート
４２・・・ヒンジ
４３・・・ストッパ
【図１】
2007014685.tif 000003
【図２】
2007014685.tif 000004
【図３】
2007014685.tif 000005
【図４】
2007014685.tif 000006
【図５】
2007014685.tif 000007
【図６】
2007014685.tif 000008
【図７】
2007014685.tif 000009
【図８】
2007014685.tif 000010
【図９】
2007014685.tif 000011